(57)【要約】【課題】  セルラーネットワークと無線ＬＡＮとの双方に接続可能な携帯電話機等の端末装置において、現存の環境を利用して設備改良コストの増大を抑制しながら、端末装置の消費電力の増加も抑制することができる端末装置等を提供する。【解決手段】  セルラーネットワーク１００と、インターネット網２００に接続された無線ＬＡＮと、両者に接続可能な携帯電話機５００とを含むネットワークシステムにおいて、管理装置２５１は、基地局ごとに、対応するセルが無線ＬＡＮへのアクセス可能性を有するか否かを管理しており、データ配信装置２３０は、セルラーネットワーク１００を介して、無線ＬＡＮへのアクセス可能性を有するセル内に存在するとしてロケーションサーバ３１０に登録された端末装置に対して、データ配信がある旨のメッセージを送信し、当該メッセージを受信した端末装置は、無線ＬＡＮへの接続を試みる。【選択図】  図１
2011066913.tif 000002
【特許請求の範囲】
【請求項１】
セルラーネットワーク及び無線ローカルエリアネットワークの双方に接続可能な端末装置において、
前記セルラーネットワークから、ハンドオフ対象となる基地局に対応するセルが無線ローカルエリアネットワークへのアクセス可能性を有するか否かを示す情報を受信するアクセス可能性情報受信手段と、
無線ローカルエリアネットワークへのアクセス可能性を有するセルにハンドオフした後、自機を登録するメッセージを送信するメッセージ送信手段とを備え、
前記メッセージ送信手段は、
無線ローカルエリアネットワークへのアクセス可能性を有するセル内に存在する間、前記セルラーネットワーク経由で受信した情報に基づいて設定された周期により、前記メッセージを定期的に送信することを特徴とする端末装置。
【請求項２】
前記自機を登録するメッセージは、
ＳＩＰ（セッション・イニシエーション・プロトコル）に基づくサーバへの登録メッセージであることを特徴とする請求項１に記載の端末装置。
【請求項３】
前記ＳＩＰメッセージは、ＳＩＰサーバへ送信するＲＥＧＩＳＴＥＲメッセージ、又はプレゼンスサーバへ送信するＮＯＴＩＦＹメッセージであることを特徴とする請求項２に記載の端末装置。
【請求項４】
前記メッセージ送信手段は、
前記メッセージを、セルラーネットワークを経由して送信することを特徴とする請求項１から３のいずれかに記載の端末装置。
【請求項５】
前記セルラーネットワークから通知される所定のメッセージを受信した場合に、無線ローカルエリアネットワークに接続を試みることを特徴とする請求項１から４のいずれかに記載の端末装置。
【請求項６】
前記所定のメッセージを受信した場合に、無線ローカルエリアネットワークに接続するインタフェース部への電源をオン状態とすることを特徴とする請求項５に記載の端末装置。
【請求項７】
セルラーネットワークと、インターネットに接続された無線ローカルエリアネットワークと、両者に接続可能な端末装置とを含むネットワークシステムにおいて、
前記セルラーネットワークでは、基地局ごとに、対応するセルが無線ローカルエリアネットワークへのアクセス可能性を有するか否かを管理しており、
無線ローカルエリアネットワークへのアクセス可能性を有するセル内に存在するとして登録された端末装置に対して、セルラーネットワークを介して所定のメッセージを送信し、
前記端末装置が自機を登録するメッセージを送信する周期を設定するための情報を前記端末装置に送信し、
当該所定のメッセージを受信した端末装置は、無線ローカルエリアネットワークに接続を試みることを特徴とするネットワークシステム。
【請求項８】
無線ローカルエリアネットワークへのアクセス可能性を有するか否かは、基地局に対応するセルと、無線ローカルエリアネットワークのアクセス可能領域との間で、オーバーラップする領域があるか否かで管理されることを特徴とする請求項７に記載のネットワークシステム。
【請求項９】
前記所定のメッセージは、大容量データが配信される旨を示すメッセージであることを特徴とする請求項７又は８に記載のネットワークシステム。
【請求項１０】
無線ローカルエリアネットワークに接続した端末装置は、前記大容量データを、無線ローカルエリアネットワークを経由して受信することを特徴とする請求項９に記載のネットワークシステム。
【請求項１１】
前記所定のメッセージは、前記セルラーネットワークにおけるページングメッセージとして送信されることを特徴とする請求項７から１０のいずれかに記載のネットワークシステム。
【請求項１２】
端末装置の無線ローカルエリアネットワークに関する登録情報を登録する登録部と、
前記登録部の登録情報を削除する削除部と、
前記削除部による削除を行う周期を指示するタイマと、
前記端末装置に対して、該端末装置が前記無線ローカルエリアネットワークに関する登録情報を送信する周期に関する、前記タイマが指示する周期に基づく情報をセルラーネットワークを介して送信する送信部と、を備えるサーバ。
【発明の詳細な説明】
【技術分野】
【０００１】
本発明は、端末装置、ネットワークシステム、管理装置、及びデータ配信装置に関し、特に、セルラーネットワーク及び無線ローカルエリアネットワーク（ＬＡＮ）の双方に接続することが可能な端末装置、当該端末装置が接続可能なネットワークシステム、及びサーバに関する。
【背景技術】
【０００２】
近年、携帯電話機のようにセルラーネットワークに接続可能な端末装置からインターネットに接続することが広く行われている。セルラーネットワークを介するデータ通信ではデータ伝送速度が問題となっていたが、第２世代の携帯電話（ＰＤＣ）やＰＨＳ（パーソナル・ハンディホーン・システム）におけるデータ受信速度が１２８ｋｂｐｓ程度であったのに対し、例えばｃｄｍａ２０００  １ｘＥＶ−ＤＯ等の第３世代携帯電話システムにおいては、下り３．１Ｍｂｐｓの最大伝送速度が実現されるに至っている。
【０００３】
しかしながら、例えば動画像を放送する場合にように、大容量のデータを配信する場合には、現状では、より伝送速度の速い無線ＬＡＮを利用することが好ましいと思われる。このような状況に鑑み、セルラーネットワークと無線ＬＡＮとの双方に接続可能な端末装置が考案されている（特許文献１参照）。
【０００４】
セルラーネットワークと無線ＬＡＮとの双方に接続可能な端末装置の場合、常に両方に接続可能な状態とするには、通常の携帯電話機にて行われている待ち受け受信に加えて、無線ＬＡＮのインタフェース部にも常時電源供給しておく必要があるため、電力消費が増大し、端末装置の待ち受け可能時間の短縮を招来する。上記特許文献１の技術では、無線ＬＡＮのアクセスポイント近傍で、端末から送信されているセルラーネットワークへの電波の状態を検出し、端末装置から無線ＬＡＮへのアクセスが可能となったことが検出された場合に、セルラーネットワークの基地局を経由してその旨端末装置に通知する構成とし、端末装置の消費電力増大を抑制している。
【先行技術文献】
【特許文献】
【０００５】
【特許文献１】特開２００４−２３７６８号公報
【発明の概要】
【発明が解決しようとする課題】
【０００６】
しかしながら、上記従来技術の構成では、無線ＬＡＮのアクセスポイント近傍にセルラーネットワークへの電波を受信する受信装置を備える必要があり、現存するアクセスポイントをそのまま利用することはできない。近年、アクセスポイントは爆発的に増加しており、もし各々のアクセスポイント近傍に受信装置を備えるとすると膨大な設備改良コストが発生し、現実的ではないという問題点があった。
【０００７】
本発明は係る問題点に鑑みてなされたものであって、セルラーネットワークと無線ＬＡＮとの双方に接続可能な携帯電話機等の端末装置において、現存の環境を利用して設備改良コストの増大を抑制しながら、端末装置の消費電力の増加も抑制することができる端末装置、ネットワークシステム、及びサーバを提供することを目的としている。
【課題を解決するための手段】
【０００８】
上記の問題点を解決するために、本発明に係る端末装置は、セルラーネットワーク及び
無線ローカルエリアネットワークの双方に接続可能な端末装置において、前記セルラーネットワークから、ハンドオフ対象となる基地局に対応するセルが無線ＬＡＮへのアクセス可能性を有するか否かを示す情報を受信するアクセス可能性情報受信手段と、無線ＬＡＮへのアクセス可能性を有するセルにハンドオフした後、所定領域に自機を登録するメッセージを送信するメッセージ送信手段とを備えることを特徴としている。
【０００９】
この構成では、無線ＬＡＮへのアクセス可能性を有する端末装置が、所定領域への自機の登録によりセルラーネットワーク側で管理されることとなり、端末装置情報を検索した結果、無線ＬＡＮへのアクセス可能性を有する端末に対し、セルラーネットワークを介してメッセージを報知することが可能となる。なお、「所定領域」は、サーバへの登録であってもよいし、例えばＨＬＲ（ホーム・ロケーション・レジスタ）など、必ずしも「サーバ」と称されない領域への登録も考えられる。
【００１０】
即ち、上記従来技術のように、アクセスポイントの改良を行う必要がない。また、当該メッセージを受信した端末装置が、無線ＬＡＮインタフェース部への電源供給をオン状態とし、無線ＬＡＮへのアクセスを試行する構成とすれば、端末装置の消費電力の増大も抑制することができる。
【００１１】
前記自機を登録するメッセージは、ＳＩＰ（セッション・イニシエーション・プロトコル）に基づくサーバへの登録メッセージである構成とすることができるが、プロトコルは特に限定されず、サーバ側の処理内容により、ＨＴＴＰ、ＳＭＴＰ等のプロトコルを利用することも可能である。なお、ＳＩＰメッセージは、例えばＳＩＰサーバへ送信するＲＥＧＩＳＴＥＲメッセージ、又はプレゼンスサーバへ送信するＮＯＴＩＦＹメッセージである構成とすることができる。
【００１２】
なお、前記メッセージ送信手段は、無線ＬＡＮへのアクセス可能性を有するセル内に存在する間、前記メッセージを定期的に送信する構成とすることができる。一方で一定時間メッセージの送信の無い端末について前記所定領域（ＳＩＰサーバ等）から登録を削除するようにすれば、ＳＩＰのＲＥＧＩＳＴＥＲメッセージやＮＯＴＩＦＹメッセージ、前記メッセージの一例としてのセルラーネットワークを経由した携帯メールの送信、その他を利用して、無線ＬＡＮへの接続可能性を有する端末装置の管理を行うことができる。
【００１３】
本発明に係るネットワークシステムは、セルラーネットワークと、インターネットに接続された無線ローカルエリアネットワークと、両者に接続可能な端末装置とを含むネットワークシステムにおいて、前記セルラーネットワークでは、基地局ごとに、対応するセルが無線ローカルエリアネットワークへのアクセス可能性を有するか否かを管理しており、無線ローカルエリアネットワークへのアクセス可能性を有するセル内に存在するとして登録された端末装置に対して、セルラーネットワークを介して所定のメッセージを送信し、当該所定のメッセージを受信した端末装置は、無線ローカルエリアネットワークに接続を試みることを特徴としている。
【００１４】
無線ＬＡＮへのアクセス可能性を有するか否かは、例えば、基地局に対応するセルと、無線ローカルエリアネットワークのアクセス可能領域との間で、オーバーラップする領域があるか否かで管理される構成とすることができる。もっとも無線ＬＡＮへのアクセス可能性を基地局ごとに管理する方法は、これに限定される趣旨ではない。
【００１５】
前記所定のメッセージは、無線ローカルエリアネットワークを利用して受信されることが好ましい大容量データが配信される旨を示すメッセージであるとし、当該メッセージを受信し、無線ローカルエリアネットワークに接続した端末装置は、前記大容量データを無線ローカルエリアネットワークを経由して受信する構成とすることができる。この構成で
は、大容量のデータを効率的に配信することができる。なお、前記所定のメッセージは、前記セルラーネットワークにおけるページングメッセージとして送信される構成とすれば、既存の設備の有効利用に好適である。
【００１６】
本発明に係る管理装置は、セルラーネットワークの基地局の情報を管理する管理装置において、基地局ごとに、基地局に対応するセルと、無線ローカルエリアネットワークのアクセス可能領域との間で、オーバーラップする領域があるか否かを管理することを特徴としている。
【００１７】
また、本発明に係るデータ配信装置は、データを配信するデータ配信装置において、データを配信するに際して、無線ローカルエリアネットワークへのアクセス可能性を有する領域に存在するとして登録された端末装置を検索する検索手段と、検索された端末装置に対して、データを配信する旨を示すメッセージをセルラーネットワークを介して送信する配信メッセージ送信手段と、端末装置から応答があった場合に、当該端末装置に無線ローカルエリアネットワーク経由でデータを配信するデータ配信手段とを備えることを特徴としている。
【発明の効果】
【００１８】
本発明に係る端末装置等によると、既存の設備の有効利用、大容量データの効率的な配信、端末装置の消費電力の増大抑制といった効果が奏される。
【図面の簡単な説明】
【００１９】
【図１】ネットワークシステムの全体構成の一例を示す図である。
【図２】携帯電話機５００の構成の一例を示す機能ブロック図である。
【図３】隣接基地局リストメッセージの内容の一部を例示したものである。
【図４】隣接基地局リストを含むシステム・オーバーヘッド・メッセージを受信した携帯電話機５００におけるＣＰＵ６００の処理内容の一例を示すフローチャートである。
【図５】ＳＩＰサーバ３００及びロケーションサーバ３１０について説明するための図である。
【図６】大容量データを配信する場合のデータ配信装置２３０の処理内容を示すフローチャートである。
【図７】大容量データが配信される旨を示すページングメッセージを受信した携帯電話機５００等の端末装置における処理内容について説明するためのフローチャートである。
【発明を実施するための形態】
【００２０】
以下、本発明の実施の形態について、本発明の適用対象である端末装置の一例として携帯電話機を用いる場合を例として、図面を参照しながら説明する。
【００２１】
（１）ネットワークシステム（データ配信システム）の全体構成
図１は、本実施の形態におけるネットワークシステムの全体構成の一例を示す図である。本実施の形態のネットワークシステムでは、各々の端末装置に対して、例えば動画像等の大容量のデータが配信される場合があり、そのような場合にはデータ配信システムを構成する。
【００２２】
同図１において、符号１００はセルラーネットワーク、符号２００はインターネット網を表しており、両者はゲートウェイ２５０等を介して相互に接続されている。本実施の形態では、セルラーネットワーク１００及び無線ＬＡＮの双方に接続することが可能な携帯電話機５００を端末装置として用いている。携帯電話機５００と接続されるセルラーネットワーク１００として、本実施の形態ではｃｄｍａ２０００  １ｘ仕様に従うものを想定
して説明するが、これに限定される趣旨ではない。
【００２３】
携帯電話機５００は、通常はセルラーネットワーク１００の基地局１１０、１１１等との間で電波の送受信を行っており、回線交換（ＣＳ）による通信やパケット交換（ＰＳ）による通信が行われる。パケット交換（ＰＳ）により携帯電話機５００からインターネット網２００に接続する場合にゲートウェイ２５０を介して接続される。なお携帯電話機５００は、セルラーネットワーク１００との間では、特に音声通話やデータ伝送が行われていない場合でも、基地局１１０等からの制御信号の待ち受け受信を行っている。
【００２４】
インターネット網２００には、ルータ２１０を介して無線ＬＡＮのアクセスポイント２２０が設けられており、本実施の形態の携帯電話機５００は、アクセスポイント２２０を介して、無線ＬＡＮ経由でインターネット網２００に接続可能な構成を備えている。即ち、携帯電話機５００は、ＩＥＥＥ８０２．１１等の無線ＬＡＮ規格に従う無線ＬＡＮインタフェース部を備えている。もっとも無線ＬＡＮインタフェース部を常に通電状態とすることは、無駄な電力消費を招来するため、本実施の形態では無線ＬＡＮにアクセスを試みる場合のみ通電状態とすることで、消費電力の低減を図っている。
【００２５】
ＳＩＰサーバ３００は、プロキシ・サーバ、リダイレクト・サーバ、及び登録サーバの三つの機能から構成されており、携帯電話機５００等の各端末装置からセルラーネットワーク１００を介して送信されるＳＩＰメッセージを受信して、ロケーションサーバ３１０への各端末装置の登録を行う。本実施の形態では、ＳＩＰサーバ３００の三つの機能を同一のホストで実装する形態としているが、これらの機能は異なるホストに実装することもできる。ロケーションサーバ３１０への登録は登録サーバの機能によるものであり、ロケーションサーバ３１０に登録された各端末装置の情報は、プロキシ・サーバの機能やリダイレクト・サーバ機能から利用することができる。携帯電話機５００からのＳＩＰメッセージをセルラーネットワーク１００を介して送信することは、携帯電話機５００の無線ＬＡＮインタフェース部への通電時間を短縮し、消費電力を低減する利点がある。
【００２６】
管理装置２５１では、セルラーネットワーク１００の基地局の情報を管理している。本実施の形態では、基地局ごとに、当該基地局に対応するセルと無線ＬＡＮのアクセス可能領域との間にオーバーラップしている領域が存在するか否かを示す情報を保持している。この情報を本明細書では、無線ＬＡＮへのアクセス可能性情報という。当該アクセス可能性情報はシステム・オーバーヘッド・メッセージとして端末装置に送信される隣接基地局リスト（ネイバーリスト）メッセージに含まれる。同図では管理装置２５１はゲートウェイ２５０に接続されているが、管理装置２５１の設置位置は任意である。セルラーネットワーク１００が携帯電話専用のネットワークである場合には、管理装置２５１はセルラーネットワーク１００内に配置することが一般的と思われる。携帯電話のコアネットワークがＩＰ網の場合（無線ＩＰ電話の場合）、管理装置２５１をインターネット網２００上に配置することもある。
【００２７】
インターネット網２００には、データ配信装置２３０が接続されている。このデータ配信装置２３０は、例えば動画像などの大容量のデータを配信する際、セルラーネットワーク１００を経由して携帯電話機５００等の端末装置にメッセージを送信する一方、無線ＬＡＮにアクセスした端末装置に対して無線ＬＡＮ経由でデータを配信する。
【００２８】
（２）携帯電話機５００の構成
次に、本発明の携帯電話機５００の構成について説明する。図２は、本実施の形態の携帯電話機５００の構成の一例を示す機能ブロック図である。携帯電話機５００は、ＣＰＵ６００、アンテナ６１０、送受信部６２０、表示制御部６３０、表示部６３１、音声処理部６４０、マイク６４１、スピーカ６４２、無線ＬＡＮインタフェース部（ＷＬＡＮＩＦ
）６５０を備えている。ＣＰＵ６００はタイマ６０１を利用して計時処理を行うことができる。
【００２９】
ＣＰＵ６００は携帯電話機５００全体の制御を行う。回線交換（ＣＳ）を経由する通話の際にはマイク６４１から入力された音声が音声処理部６４０にてＡＤ変換され、送受信部６２０において通信方式に合致した処理がなされてアンテナ６１０から出力される。アンテナ６１０を介して基地局１１０から電波を受信した場合には、送受信部６２０、音声処理部６４０を介してスピーカ６４２から音声が出力されたり、セルラーネットワーク１００のパケット交換（ＰＳ）経由で受信したデータが送受信部６２０を介してＣＰＵ６００へと入力される。受信データはＣＰＵ６００上で動作するアプリケーションによる処理を受けて、表示制御部６３０を介して表示部６３１に表示等される。
【００３０】
本実施の形態の携帯電話機５００は、無線ＬＡＮインタフェース部６５０を介して無線ＬＡＮのアクセスポイント２２０と接続可能な構成を有しており、無線ＬＡＮインタフェース部６５０への電源投入、及び無線ＬＡＮへの接続、無線ＬＡＮを経由するデータ伝送等もＣＰＵ６００により制御される。
【００３１】
（３）ＣＰＵ６００の処理内容
本実施の形態のセルラーネットワーク１００においては、基地局１１０等の側から携帯電話機５００に送信されるシステム・オーバーヘッド・メッセージに含まれる隣接基地局リスト（ネイバーリスト）メッセージに、各々の基地局を特定する情報に加えて、各々の基地局に対応するセルの領域と、無線ＬＡＮのアクセスポイントからのアクセス可能領域（以下、単に「アクセス可能領域」ともいう。）との間で、オーバーラップしている領域が存在するか否かを保持するフラグ（以下、「ＷＬＡＮ領域フラグ」という。）を含めている。図３は、本実施の形態において、基地局側から携帯電話機に対して報知される隣接基地局リストメッセージの内容の一部を例示したものである。
【００３２】
前記したように、本実施の形態の携帯電話システムはｃｄｍａ２０００  １ｘに準拠したものであり、システム内の全てのセルがＧＰＳ信号などの基準信号に対して全て同期が取れている。同図３の例では、基地局Ａから基地局Ｄまでの四つの基地局について、各基地局を識別するためにそれぞれ割り当てられている拡散コード（ＰＮ）の、前記基準信号からのオフセット値（９ビット）が保持されており、携帯電話機５００側では、前記と同一種類の拡散コードを用いてそれぞれのオフセット値に同期を取ることで、それぞれの基地局にチップ同期を確立することが可能となる。
【００３３】
同図の例では、上記四つの基地局について、それぞれＷＬＡＮ領域フラグ（同図の例ではフィールド名「ＷＬＡＮ  Ｉｎｃｌｕｄｅ」としているが、フィールド名はこれに限定されない。）として１ビットずつ保持している。これは、本実施の形態において、各セルにおける無線ＬＡＮへのアクセス可能性を判断するために参照されるアクセス可能性情報である。例えばＷＬＡＮ領域フラグが０の場合、当該基地局に対応するセルとアクセス可能領域とがオーバーラップしていること、即ち、当該セル内に存在する携帯電話機５００が無線ＬＡＮへのアクセス可能性があることを示し、ＷＬＡＮ領域フラグが１の場合、セルとアクセス可能領域とがオーバーラップしていないこと、即ち、当該セル内に存在する携帯電話機５００が無線ＬＡＮへのアクセス可能性が無いことを示すように設定することができる。
【００３４】
このＷＬＡＮ領域フラグは、例えば携帯電話機５００等から無線ＬＡＮへのアクセス情報を取得するなどにより、ある程度まで自動設定とすることも不可能ではないが、アクセスポイントの設置についての情報を得て、定期的に設定更新するようにしてもよい。この情報は本実施の形態では管理装置２５１で管理することができ、設定されたフラグの値は
セルラーネットワーク１００の側で参照可能に管理される。
【００３５】
以下、本実施の形態のネットワークシステムにおける各部の処理内容について、フローチャート等を参照しながら説明する。まず、前記した隣接基地局リストを含むシステム・オーバーヘッド・メッセージを受信した携帯電話機５００におけるＣＰＵ６００の処理内容について説明する。図４は、処理内容の一例を示すフローチャートである。
【００３６】
携帯電話機５００が隣接基地局リストメッセージ（図中、「ＮＬＭＳＧ」と表示している。）を受信した場合（Ｓ１０１：ＹＥＳ）、当該メッセージに含まれる無線ＬＡＮへのアクセス可能性情報（ＷＬＡＮ領域フラグの値）を抽出する（Ｓ１０２）。隣接基地局リストメッセージを含むシステム・オーバーヘッド・メッセージは、例えば基地局側から端末側へページングチャネル（ＰＣＨ）を用いて送信される。
【００３７】
ハンドオフ処理（Ｓ１０３）の後、ハンドオフ先の基地局に対応するセル内で無線ＬＡＮへのアクセス可能性が有りと判定された場合（Ｓ１０４：ＹＥＳ）、携帯電話機５００の側からセルラーネットワーク１００を経由して定期的にＳＩＰレジストレーションを行うようにする（Ｓ１０５）。例えば、携帯電話機５００が他の基地局（例えば基地局１１１）から基地局１１０にハンドオフする際、アクセス可能性情報を参照し、基地局１１０に対応するセルが無線ＬＡＮのアクセス可能領域とオーバーラップする場合、ハンドオフ後に、タイマ６０１を用いて定期的にＳＩＰメッセージの送信を行う。なお、セルラーネットワーク１００を介してＳＩＰメッセージを送信する場合、上りのアクセスチャネル（Ｒ−ＡＣＨ）を利用することができる。
【００３８】
ここで、本実施の形態のＳＩＰレジストレーションについて簡単に説明する。図５は、ＳＩＰサーバ３００及びロケーションサーバ３１０について説明するための図である。ＳＩＰサーバ３００は、インターネット２００を介してＲＥＧＩＳＴＥＲメッセージによる登録要求を受信したり、他の機器の要求に応じて登録された情報を送信等する送受信部３０１、受信したＩＰパケットをロケーションサーバ３１０に中継し、端末情報をロケーションサーバ３１０に登録する登録サーバ３０２を含んでいる。
【００３９】
一方、ロケーションサーバ３１０は、登録情報が格納される位置登録部３１１、位置登録部３１１に登録された情報を管理（追加、削除等）する位置登録管理部３１２に加え、タイマ３１３を備えている。本実施の形態では、タイマ３１３により、登録後一定時間が経過した登録情報を自動的に削除するように構成している。従って、上記ステップＳ１０４にて定期的にＳＩＰレジストレーションを行っている端末は情報が位置登録部３１１に格納され続けることになるが、当該端末が無線ＬＡＮへのアクセス可能性のない領域へとハンドオフした場合、位置登録部３１１に格納された情報は自動的に削除されることになる。即ち、ロケーションサーバ３１０にアクセスすることにより、無線ＬＡＮへのアクセス可能性を有する端末を検索することができる。
【００４０】
なお、タイマ３１３のタイマ値は、例えばシステム・オーバーヘッド・メッセージに含めて携帯電話機５００等に報知することができる。例えばタイマ３１３に設定されたタイマ値が３分であった場合、報知を受けた携帯電話機５００側のタイマ６０１のタイマ値を例えば２分５５秒に設定して定期的にＳＩＰメッセージの送信を行う。ロケーションサーバ３１０の側では、３分以内に再度ＳＩＰレジストレーションのあった端末は登録を継続するが、３分以内にＳＩＰレジストレーションのない端末は登録を削除する。
【００４１】
なお、本実施の形態でのＳＩＰレジストレーションではＳＩＰ（セッション・イニシエーション・プロトコル）のＲＥＧＩＳＴＥＲメッセージを用いる。もっともＮＯＴＩＦＹメッセージによってプレゼンスサーバ（不図示）にプレゼンス情報を送信する手法によっ
ても、同趣旨の端末装置管理を実現することは可能である。
【００４２】
次に、動画像等の大容量データが配信される場合における、データ配信装置２３０、携帯電話機５００等における処理内容について、フローチャートを参照して説明する。
【００４３】
図６は、動画像など、無線ＬＡＮを経由して配信することが好ましい大容量データを送信する場合のデータ配信装置２３０の処理内容を示すフローチャートである。データ配信装置２３０では、大容量のデータを送信する機会が発生した場合（Ｓ２０１：ＹＥＳ）、ＳＩＰサーバ３００にアクセスし、ロケーションサーバ３１０に登録された端末情報を取得する（Ｓ２０２）。
【００４４】
登録された端末装置は、無線ＬＡＮへのアクセス可能性を有するとして登録された端末装置であるから、当該端末装置に対して、大容量データの配信を通知するメッセージを送信するようにセルラーネットワーク１００に要求を出す（Ｓ２０３）。このメッセージは、ページングメッセージとして下りのページングチャネル（Ｆ−ＰＣＨ）を用いてセルラーネットワーク１００から携帯電話機５００等の各端末装置に送信することができる。
【００４５】
ここで、上記ページングメッセージを受信した携帯電話機５００等の端末装置における処理内容について説明する。図７は、このような場合、携帯電話機５００のＣＰＵ６００の処理内容について説明するためのフローチャートである。
【００４６】
大容量データの配信を示すページングメッセージ（図中「ページＭＳＧ」と表示している。）を受信した場合（Ｓ３０１：ＹＥＳ）、自機の端末ＩＤがページングメッセージに含まれているか否かの照合を行う（Ｓ３０２）。その結果、自機の端末ＩＤが存在する場合（Ｓ３０３：ＹＥＳ）、無線ＬＡＮインタフェース部６５０への電源供給をオン状態とし（Ｓ３０４）、無線ＬＡＮへのアクセスを試行する（Ｓ３０５）。
【００４７】
無線ＬＡＮへのアクセスに成功した場合（Ｓ３０６：ＹＥＳ）、無線ＬＡＮ経由でデータ配信装置２３０に対して、自機の端末ＩＤを含むメッセージ（例えばＡＣＫ）を送信する（Ｓ３０７）。このメッセージはセルラーネットワーク１００を経由して送信するようにしてもよいが、最終的には、無線ＬＡＮのアクセスポイント経由のコネクションを確立する必要がある（Ｓ３０７）。
【００４８】
ここで、図６へと戻り、当該メッセージを受信し、無線ＬＡＮ経由のコネクションを確立したデータ配信装置２３０側では（Ｓ２０４：ＹＥＳ）、当該端末に対して無線ＬＡＮ経由で大容量データを配信する（Ｓ２０５）。このような処理を経て、携帯電話機５００等の端末装置側では、無線ＬＡＮ経由で大容量データを受信することができる（図７・Ｓ３０８）。
【００４９】
なお、携帯電話機５００側で無線ＬＡＮへのアクセスができなかった場合（Ｓ３０６：ＮＯ）、アクセス不可時の処理を実行する（Ｓ３０９）。具体的には、無線ＬＡＮインタフェース部への通電停止、セルラーネットワークを介するデータ配信装置２３０へのメッセージの送信、再通知の要求などが考えられるが、ここでの処理内容の設定は任意である。
【００５０】
（変形例）
以上、本発明の実施の形態について説明したが、本発明の内容が上記実施の形態において説明された具体例によって限定されないことは勿論であり、例えば、以下のような変形例を実施することもできる。
【００５１】
（１）上記実施の形態では、無線ＬＡＮへのアクセス可能性を有する端末装置をＳＩＰサーバへの登録で管理し、データ配信装置２３０では、ＳＩＰサーバへの登録情報を参照することで、アクセス可能性を有する端末装置を検索する構成としたが、ＳＩＰサーバやプレゼンスサーバへの登録だけでなく、例えばＨＬＲ（ホームロケーションレジスタ）を利用するような構成も可能である。
【００５２】
（２）上記実施の形態では、端末を登録するメッセージとしてＳＩＰメッセージを用いたが、サーバに自機を登録する方法はＳＩＰメッセージに限定されず、例えばＨＴＴＰ等の他のプロトコルを用いることもできるし、メッセージの他の例としてセルラーネットワークを経由した携帯メールの送受信を行うことも可能である。もっとも、メッセージを受信したサーバ側の処理内容はプロトコルによって異なり、電子メールを用いる場合には、メール本文若しくはメールヘッダから端末の情報を抽出する処理などが実施される場合が生じる。
【００５３】
（３）上記実施の形態では、ＳＩＰサーバ３００をインターネット網２００に接続したが、セルラーネットワーク１００に接続する構成も可能である。
【００５４】
（４）上記実施の携帯では、端末装置の一例として携帯電話機を用いた場合について説明したが、セルラーネットワークと無線ＬＡＮとの双方に接続することが可能な端末装置であれば、本発明を適用することは可能である。
【産業上の利用可能性】
【００５５】
本発明は、例えばセルラーネットワークと無線ＬＡＮとの双方に接続することが可能な端末装置、ネットワークシステム、及びサーバ等に適用することができる。
【符号の説明】
【００５６】
１００                    セルラーネットワーク
１１０、１１１            基地局
２００                    インターネット網
２１０                    ルータ
２２０                    無線ＬＡＮアクセスポイント
２５０                    ゲートウェイ
２５１                    管理装置
３００                    ＳＩＰサーバ
３０１                    送受信部
３０２                    登録サーバ
３１０                    ロケーションサーバ
３１１                    位置登録部
３１２                    位置登録管理部
３１３                    タイマ
５００                    携帯電話機
６００                    ＣＰＵ
６０１                    タイマ
６１０                    アンテナ
６２０                    送受信部
６３０                    表示制御部
６３１                    表示部
６４０                    音声処理部
６４１                    マイク
６４２                    スピーカ
６５０                    無線ＬＡＮインタフェース部（ＷＬＡＮＩＦ）
【図１】
2011066913.tif 000003
【図２】
2011066913.tif 000004
【図３】
2011066913.tif 000005
【図４】
2011066913.tif 000006
【図５】
2011066913.tif 000007
【図６】
2011066913.tif 000008
【図７】
2011066913.tif 000009